(57)【要約】【課題】より確実に毛髪を所望形状に整髪することのできるヘアーアイロン装置を得る。【解決手段】ヘアーアイロン装置１００は、第１の毛髪挟持面２２ａを有する第１の挟持部２ｂと第２の毛髪挟持面３２ａを有する第２の挟持部３ｂとを有し、当該第１の毛髪挟持面２２ａと第２の毛髪挟持面３２ａとで毛髪Ｈを挟持するヘアーアイロン１と、前記第２の挟持部３ｂに着脱自在に設けられ、毛髪Ｈを整形するセット部材１０と、を備えている。そして、第１の挟持部２ｂに、前記第１の毛髪挟持面２２ａと第２の毛髪挟持面３２ａとで毛髪Ｈを挟み込んだ際に毛髪Ｈを前記第２の挟持部３ｂ側へとガイドする突部２０ｃを設けた。【選択図】図４
2011098000.tif 000002
【特許請求の範囲】
【請求項１】
第１の毛髪挟持面を有する第１の挟持部と第２の毛髪挟持面を有する第２の挟持部とを有し、当該第１の毛髪挟持面と第２の毛髪挟持面とで毛髪を挟持するヘアーアイロンと、
前記第２の挟持部に着脱自在に設けられ、毛髪を整形するセット部材と、
を備え、
前記第１の挟持部には、前記第１の毛髪挟持面と第２の毛髪挟持面とで毛髪を挟み込んだ際に毛髪を前記第２の挟持部側へとガイドする突部が設けられていることを特徴とするヘアーアイロン装置。
【請求項２】
前記第１の挟持部と第２の挟持部のうち少なくともいずれか一方の挟持部に、前記第１の毛髪挟持面と第２の毛髪挟持面とで挟み込んだ毛髪に熱を加える発熱部が設けられていることを特徴とする請求項１に記載のヘアーアイロン装置。
【請求項３】
前記ヘアーアイロン装置は、複数種類のセット部材を備えることを特徴とする請求項１または請求項２に記載のヘアーアイロン装置。
【請求項４】
前記ヘアーアイロン装置は、カール部が設けられたセット部材を備えることを特徴とする請求項１〜３のうちいずれか１項に記載のヘアーアイロン装置。
【請求項５】
複数種類の前記セット部材は、前記カール部が設けられたセット部材とは別に、当該カール部とは異なる曲率のカール部を有するセット部材を備えることを特徴とする請求項４に記載のヘアーアイロン装置。
【請求項６】
前記カール部がセット部材の側部に設けられていることを特徴とする請求項４または請求項５に記載のヘアーアイロン装置。
【請求項７】
前記第２の挟持部に装着した状態における前記セット部材のカール部は、前記第２の挟持部を第２の毛髪挟持面が上を向くように配置した際に、当該第２の毛髪挟持面よりも下方に位置することを特徴とする請求項４〜６のうちいずれか１項に記載のヘアーアイロン装置。
【請求項８】
前記第２の挟持部に前記セット部材を装着して当該第２の挟持部を第２の毛髪挟持面が上を向くように配置した状態において、当該セット部材の上部には、上方に突出する第１の突起が設けられており、
前記第１の突起は、前記第１の毛髪挟持面と第２の毛髪挟持面とで毛髪を挟み込んだ状態において、挟み込まれた毛髪の延在方向と交差する方向に間隔を開けて複数設けられていることを特徴とする請求項１〜６のうちいずれか１項に記載のヘアーアイロン装置。
【請求項９】
前記ヘアーアイロン装置は、前記第２の挟持部を第２の毛髪挟持面が上を向くように配置して当該第２の挟持部に装着した状態において、上部に平面部を有するとともに当該平面部が前記第２の毛髪挟持面よりも下方に位置するセット部材を備えることを特徴とする請求項１〜３のうちいずれか１項に記載のヘアーアイロン装置。
【請求項１０】
前記平面部には上方に突出する第２の突起が設けられており、当該第２の突起が、前記第１の毛髪挟持面と第２の毛髪挟持面とで毛髪を挟み込んだ状態において、挟み込まれた毛髪の延在方向と交差する方向に間隔を開けて複数設けられていることを特徴とする請求項９に記載のヘアーアイロン装置。
【請求項１１】
前記ヘアーアイロン装置は、前記第２の挟持部を第２の毛髪挟持面が上を向くように配置して当該第２の挟持部に装着した状態において、上部に前記第２の毛髪挟持面と略平行をなすように形成された上面部と、側部に前記第２の毛髪挟持面と略垂直をなすように形成された側面部と、前記上面部と側面部とをつなぐ曲面部と、を有し、当該曲面部には上方に突出する第３の突起が設けられており、当該第３の突起が、前記第１の毛髪挟持面と第２の毛髪挟持面とで毛髪を挟み込んだ状態において、挟み込まれた毛髪の延在方向と交差する方向に間隔を開けて複数設けられているセット部材を備えることを特徴とする請求項１〜３のうちいずれか１項に記載のヘアーアイロン装置。
【請求項１２】
前記曲面部には湾曲して突出する第４の突起が設けられており、当該第４の突起が、前記第１の毛髪挟持面と第２の毛髪挟持面とで毛髪を挟み込んだ状態において、挟み込まれた毛髪の延在方向と交差する方向に間隔を開けて複数設けられていることを特徴とする請求項１１に記載のヘアーアイロン装置。
【請求項１３】
前記ヘアーアイロン装置は、前記第１の挟持部の第２の挟持部側への相対移動を規制する規制部材を備えていることを特徴とする請求項１〜１２のうちいずれか１項に記載のヘアーアイロン装置。
【請求項１４】
前記ヘアーアイロン装置には、前記規制部材による規制時における前記第１の挟持部の第２の挟持部に対する相対位置を変える可変手段が設けられていることを特徴とする請求項１３に記載のヘアーアイロン装置。
【請求項１５】
前記セット部材および前記ヘアーアイロンには、互いに解除可能に嵌合する嵌合部が設けられていることを特徴とする請求項１〜１４のうちいずれか１項に記載のヘアーアイロン装置。
【発明の詳細な説明】
【技術分野】
【０００１】
本発明は、ヘアーアイロン装置に関する。
【背景技術】
【０００２】
従来、ヘアーアイロン装置として、基端を回動自在に連結して開閉自在に設けた一対のグリップと、各グリップの先端側に対向して設けられ、裏面側にカール部が設けられた平面状の発熱部（挟持部）と、を備えるものが知られている（例えば、特許文献１参照）。
【０００３】
この特許文献１では、対向する発熱部（挟持部）で毛髪を挟み込んでヘアーアイロン装置を回転させ、発熱部（挟持部）に挟み込まれていない毛髪をカール部に押し当てた状態で、当該ヘアーアイロン装置を毛髪に沿って引き下ろすことで毛髪に癖付けを施している。
【０００４】
さらに、この特許文献１では、発熱部のカール部の曲率とは異なる曲率の湾曲面を有する補助ケースを発熱部（挟持部）に着脱自在に装着できるようにすることで、毛髪をカールさせるときの曲げ度合いを変えることができるようにしている。
【先行技術文献】
【特許文献】
【０００５】
【特許文献１】特開２００５−１９８９８４号公報
【発明の概要】
【発明が解決しようとする課題】
【０００６】
しかしながら、上記従来技術では、発熱部が平坦状に形成されており、発熱部（挟持部）間に毛髪を挟み込んだだけでは毛髪をカールさせることができず、毛髪を所望形状に整髪することができないおそれがあった。
【０００７】
そこで、本発明は、より確実に毛髪を所望形状に整髪することのできるヘアーアイロン装置を得ることを目的とする。
【課題を解決するための手段】
【０００８】
請求項１の発明にあっては、第１の毛髪挟持面を有する第１の挟持部と第２の毛髪挟持面を有する第２の挟持部とを有し、当該第１の毛髪挟持面と第２の毛髪挟持面とで毛髪を挟持するヘアーアイロンと、前記第２の挟持部に着脱自在に設けられ、毛髪を整形するセット部材と、を備えるヘアーアイロン装置であって、前記第１の挟持部には、前記第１の毛髪挟持面と第２の毛髪挟持面とで毛髪を挟み込んだ際に毛髪を前記第２の挟持部側へとガイドする突部が設けられていることを特徴とする。
【０００９】
請求項２の発明にあっては、請求項１に記載のヘアーアイロン装置において、前記第１の挟持部と第２の挟持部のうち少なくともいずれか一方の挟持部に、前記第１の毛髪挟持面と第２の毛髪挟持面とで挟み込んだ毛髪に熱を加える発熱部が設けられていることを特徴とする。
【００１０】
請求項３の発明にあっては、請求項１または請求項２に記載のヘアーアイロン装置において、前記ヘアーアイロン装置は、複数種類のセット部材を備えることを特徴とする。
【００１１】
請求項４の発明にあっては、請求項１〜３のうちいずれか１項に記載のヘアーアイロン装置において、前記ヘアーアイロン装置は、カール部が設けられたセット部材を備えることを特徴とする。
【００１２】
請求項５の発明にあっては、請求項４に記載のヘアーアイロン装置において、複数種類の前記セット部材は、前記カール部が設けられたセット部材とは別に、当該カール部とは異なる曲率のカール部を有するセット部材を備えることを特徴とする。
【００１３】
請求項６の発明にあっては、請求項４または請求項５に記載のヘアーアイロン装置において、前記カール部がセット部材の側部に設けられていることを特徴とする。
【００１４】
請求項７の発明にあっては、請求項４〜６のうちいずれか１項に記載のヘアーアイロン装置において、前記第２の挟持部に装着した状態における前記セット部材のカール部は、前記第２の挟持部を第２の毛髪挟持面が上を向くように配置した際に、当該第２の毛髪挟持面よりも下方に位置することを特徴とする。
【００１５】
請求項８の発明にあっては、請求項１〜６のうちいずれか１項に記載のヘアーアイロン装置において、前記第２の挟持部に前記セット部材を装着して当該第２の挟持部を第２の毛髪挟持面が上を向くように配置した状態において、当該セット部材の上部には、上方に突出する第１の突起が設けられており、前記第１の突起は、前記第１の毛髪挟持面と第２の毛髪挟持面とで毛髪を挟み込んだ状態において、挟み込まれた毛髪の延在方向と交差する方向に間隔を開けて複数設けられていることを特徴とする。
【００１６】
請求項９の発明にあっては、請求項１〜３のうちいずれか１項に記載のヘアーアイロン装置において、前記ヘアーアイロン装置は、前記第２の挟持部を第２の毛髪挟持面が上を向くように配置して当該第２の挟持部に装着した状態において、上部に平面部を有するとともに当該平面部が前記第２の毛髪挟持面よりも下方に位置するセット部材を備えることを特徴とする。
【００１７】
請求項１０の発明にあっては、請求項９に記載のヘアーアイロン装置において、前記平面部には上方に突出する第２の突起が設けられており、当該第２の突起が、前記第１の毛髪挟持面と第２の毛髪挟持面とで毛髪を挟み込んだ状態において、挟み込まれた毛髪の延在方向と交差する方向に間隔を開けて複数設けられていることを特徴とする。
【００１８】
請求項１１の発明にあっては、請求項１〜３のうちいずれか１項に記載のヘアーアイロン装置において、前記ヘアーアイロン装置は、前記第２の挟持部を第２の毛髪挟持面が上を向くように配置して当該第２の挟持部に装着した状態において、上部に前記第２の毛髪挟持面と略平行をなすように形成された上面部と、側部に前記第２の毛髪挟持面と略垂直をなすように形成された側面部と、前記上面部と側面部とをつなぐ曲面部と、を有し、当該曲面部には上方に突出する第３の突起が設けられており、当該第３の突起が、前記第１の毛髪挟持面と第２の毛髪挟持面とで毛髪を挟み込んだ状態において、挟み込まれた毛髪の延在方向と交差する方向に間隔を開けて複数設けられているセット部材を備えることを特徴とする。
【００１９】
請求項１２の発明にあっては、請求項１１に記載のヘアーアイロン装置において、前記曲面部には湾曲して突出する第４の突起が設けられており、当該第４の突起が、前記第１の毛髪挟持面と第２の毛髪挟持面とで毛髪を挟み込んだ状態において、挟み込まれた毛髪の延在方向と交差する方向に間隔を開けて複数設けられていることを特徴とする。
【００２０】
請求項１３の発明にあっては、請求項１〜１２のうちいずれか１項に記載のヘアーアイロン装置において、前記ヘアーアイロン装置は、前記第１の挟持部の第２の挟持部側への相対移動を規制する規制部材を備えていることを特徴とする。
【００２１】
請求項１４の発明にあっては、請求項１３に記載のヘアーアイロン装置において、前記ヘアーアイロン装置には、前記規制部材による規制時における前記第１の挟持部の第２の挟持部に対する相対位置を変える可変手段が設けられていることを特徴とする。
【００２２】
請求項１５の発明にあっては、請求項１〜１４のうちいずれか１項に記載のヘアーアイロン装置において、前記セット部材および前記ヘアーアイロンには、互いに解除可能に嵌合する嵌合部が設けられていることを特徴とする。
【発明の効果】
【００２３】
請求項１の発明によれば、第１の挟持部に、第１の毛髪挟持面と第２の毛髪挟持面とで毛髪を挟み込んだ際に毛髪を第２の挟持部側へとガイドする突部を設けることで、当該突部によって毛髪を第２の挟持部側に押しやることができる。その結果、毛髪をセット部材に押し当てて癖付けを施す前に、突部によって毛髪に癖付けを施すことが可能となって、より確実に毛髪に癖付けを施すことができるようになる。このように、請求項１の発明によれば、より確実に毛髪を所望形状に整髪することができるようになる。
【００２４】
請求項２の発明によれば、第１の毛髪挟持面と第２の毛髪挟持面とで挟み込んだ毛髪に熱を加える発熱部を設けることで、熱エネルギがあたえられて毛髪繊維同士の水素結合が切断された状態の毛髪を、突部によって第２の挟持部側に押しやることができる。その結果、より確実に毛髪に癖付けを施すことができるようになる。
【００２５】
請求項３の発明によれば、ヘアーアイロン装置が複数種類のセット部材を備えているため、一つのヘアーアイロンで様々なヘアアレンジが可能になる。
【００２６】
請求項４の発明によれば、ヘアーアイロン装置がカール部が設けられたセット部材を備えているため、このセット部材を用いることで、毛髪にカール状の癖付けを施すことができる。
【００２７】
請求項５の発明によれば、ヘアーアイロン装置がカール部の曲率が異なる複数種類のセット部材を備えているため、装着するセット部材を変えることで、毛髪を所望の曲げ度合いにカールさせることが可能となる。
【００２８】
請求項６の発明によれば、カール部をセット部材の側部に設けたため、セット部材の厚さを薄くすることが可能となり、セット部材の厚さ方向の小型化を図ることができ、ひいては、ヘアーアイロン装置の厚みを薄くすることが可能となる。
【００２９】
請求項７の発明によれば、第２の挟持部に装着した状態におけるセット部材のカール部が、第２の挟持部を第２の毛髪挟持面が上を向くように配置した際に、当該第２の毛髪挟持面よりも下方に位置するようにしたため、毛髪を、第２の毛髪挟持面からカール部へとへとスムーズに進ませることが可能となる。また、毛髪が途中で極端に屈曲してしまうのが抑制され、カールさせる際に毛髪にかかる負荷を極力軽減させることができるようになる。
【００３０】
請求項８の発明によれば、第２の挟持部にセット部材を装着して当該第２の挟持部を第２の毛髪挟持面が上を向くように配置した状態において、当該セット部材の上部に、上方に突出する第１の突起を設けるとともに、当該第１の突起を、第１の毛髪挟持面と第２の毛髪挟持面とで毛髪を挟み込んだ状態において、挟み込まれた毛髪の延在方向と交差する方向に間隔を開けて複数設けている。そのため、ヘアーアイロン装置を毛髪に沿って引き下ろす際に、この第１の突起によって毛髪を整流させることができる。また、第１の毛髪挟持面と第２の毛髪挟持面とで挟み込んだ毛髪が毛髪挟持面の領域から外れてしまったり、毛髪がセット部材に押し当てられなくなってしまったりするのを抑制することができる。このように、第１の突起を設けることで、毛髪を第１の突起の間に入り込ませて整流させることができ、毛髪をより均一にカールさせることが可能となる。
【００３１】
請求項９の発明によれば、ヘアーアイロン装置が、第２の挟持部を第２の毛髪挟持面が上を向くように配置して当該第２の挟持部に装着した状態において、上部に平面部を有するとともに当該平面部が第２の毛髪挟持面よりも下方に位置するセット部材を備えている。このセット部材を第２の挟持部に装着することで、毛髪をセット部材の平面部に接触させることができ、毛髪をよりストレートに整髪することができるようになる。また、平面部を第２の毛髪挟持面よりも下側となるように設けているため、毛髪の流れをスムーズにして毛髪にかかる負荷を低減することができる。
【００３２】
請求項１０の発明によれば、平面部に上方に突出する第２の突起を設けるとともに、当該第２の突起を、第１の毛髪挟持面と第２の毛髪挟持面とで毛髪を挟み込んだ状態において、挟み込まれた毛髪の延在方向と交差する方向に間隔を開けて複数設けている。そのため、毛髪を第２の突起の間に入り込ませて整流させることができ、毛髪をよりストレートに整髪することが可能となる。
【００３３】
請求項１１の発明によれば、ヘアーアイロン装置が、第２の挟持部を第２の毛髪挟持面が上を向くように配置して当該第２の挟持部に装着した状態において、上部に第２の毛髪挟持面と略平行をなすように形成された上面部と、側部に第２の毛髪挟持面と略垂直をなすように形成された側面部と、上面部と側面部とをつなぐ曲面部と、を有し、当該曲面部に上方に突出する第３の突起を設けるとともに、当該第３の突起を、第１の毛髪挟持面と第２の毛髪挟持面とで毛髪を挟み込んだ状態において、挟み込まれた毛髪の延在方向と交差する方向に間隔を開けて複数設けたセット部材を備えている。このセット部材を第２の挟持部に装着することで、毛髪の根元部分に癖付けを施すことが可能となり、毛髪全体にボリューム感を与えるように整髪することができるようになる。
【００３４】
また、第３の突起を設けることにより毛髪を掻き分けることができるため、毛髪挟持面をよりスムーズに毛髪の根元部に挿入させることができ、より根元部分から毛髪に癖付けを施すことができる。
【００３５】
請求項１２の発明によれば、曲面部に湾曲して突出する第４の突起を設けるとともに、当該第４の突起を、第１の毛髪挟持面と第２の毛髪挟持面とで毛髪を挟み込んだ状態において、挟み込まれた毛髪の延在方向と交差する方向に間隔を開けて複数設けている。そのため、毛髪を第４の突起の間に入り込ませて整流させることができ、毛髪全体により均一なボリューム感を与えるように整髪することができる。
【００３６】
請求項１３の発明によれば、ヘアーアイロン装置は、第１の挟持部の第２の挟持部側への相対移動を規制する規制部材を備えているため、第１の毛髪挟持面と第２の毛髪挟持面との間に挟み込まれた毛髪に過度の負荷がかかってしまうのを抑制することができ、毛髪へのダメージを抑制することができる。
【００３７】
請求項１４の発明によれば、ヘアーアイロン装置に、規制部材による規制時における第１の挟持部の第２の挟持部に対する相対位置を変える可変手段を設けている。したがって、整髪の種類等に応じて規制時における第１の挟持部の第２の挟持部に対する相対位置を変え、第１の毛髪挟持面と第２の毛髪挟持面との間に挟み込まれた毛髪にかかる負荷をより最適な状態とすることが可能となる。
【００３８】
請求項１５の発明によれば、セット部材およびヘアーアイロンに、互いに解除可能に嵌合する嵌合部を設けることで、セット部材のヘアーアイロンへの着脱を容易に行うことができるようになる。
【図面の簡単な説明】
【００３９】
【図１】図１は、本発明の一実施形態にかかるヘアーアイロン装置の斜視図である。
【図２】図２は、本発明の一実施形態にかかるヘアーアイロン装置の側面図である。
【図３】図３は、本発明の一実施形態にかかるヘアーアイロン装置の断面図である。
【図４】図４は、本発明の一実施形態にかかるヘアーアイロン装置の挟持部材の動きを示す断面図であって、（ａ）は、挟持面同士を当接させた状態を示す断面図、（ｂ）は、さらに強く閉じた際に挟持部材が沈み込んだ状態を示す断面図である。
【図５】図５は、本発明の一実施形態にかかるセット部材の第一例を示す斜視図である。
【図６】図６は、本発明の一実施形態にかかるセット部材の第一例を示す断面図である。
【図７】図７は、本発明の一実施形態にかかるセット部材の第二例を示す斜視図である。
【図８】図８は、本発明の一実施形態にかかるセット部材の第二例を示す断面図である。
【図９】図９は、本発明の一実施形態にかかるセット部材の第三例を示す斜視図である。
【図１０】図１０は、本発明の一実施形態にかかるセット部材の第三例を示す断面図である。
【図１１】図１１は、本発明の一実施形態にかかるセット部材の第四例を示す斜視図である。
【図１２】図１２は、本発明の一実施形態にかかるセット部材の第四例を示す断面図である。
【図１３】図１３は、本発明の一実施形態にかかるセット部材の第五例を示す斜視図である。
【図１４】図１４は、本発明の一実施形態にかかるセット部材の第五例を示す断面図である。
【図１５】図１５は、本発明の一実施形態にかかるスライド部材を示す図であって、（ａ）は、スライドする前を示す断面図、（ｂ）は、スライドした後を示す断面図である。
【図１６】図１６は、本発明の一実施形態にかかるスライド部材とセット部材との連動を示す図であって、セット部材がスライド部材に当接する前の平面図である。
【図１７】図１７は、本発明の一実施形態にかかるスライド部材とセット部材との連動を示す図であって、セット部材がスライド部材に当接する前の内部を示す平面図である。
【図１８】図１８は、本発明の一実施形態にかかるスライド部材とセット部材との連動を示す図であって、セット部材がスライド部材に当接した状態における平面図である。
【図１９】図１９は、本発明の一実施形態にかかるスライド部材とセット部材との連動を示す図であって、セット部材がスライド部材に当接した状態における内部を示す平面図である。
【図２０】図２０は、本発明の一実施形態にかかるスライド部材とセット部材との連動を示す図であって、セット部材を挟持部に装着した状態における平面図である。
【図２１】図２１は、本発明の一実施形態にかかるスライド部材とセット部材との連動を示す図であって、セット部材を挟持部に装着した状態における内部を示す平面図である。
【図２２】図２２は、本発明の一実施形態にかかる毛髪挟持面を光触媒でコーティングした状態を模式的に示す断面図である。
【図２３】図２３は、本発明の一実施形態にかかる毛髪挟持面に光触媒粒子を含有させた状態を模式的に示す断面図である。
【発明を実施するための形態】
【００４０】
以下、本発明の実施形態について図面を参照しながら詳細に説明する。なお、以下では、第１の毛髪挟持面と第２の毛髪挟持面とを当接させるとともに第２の毛髪挟持面が上を向いた状態におけるヘアーアイロンを基準として上下方向を規定する。また、ヘアーアイロンの挟持部側を前方、把持部側を後方として説明する。
【００４１】
本実施形態にかかるヘアーアイロン装置１００は、図１および図２に示すように、ヘアーアイロン１と、当該ヘアーアイロン１に着脱自在に装着されて毛髪Ｈを整形するセット部材１０と、を備えている。
【００４２】
本実施形態では、ヘアーアイロン１は、回動連結部４を介して略Ｖ字状に拡開可能に連結された上側アーム部２および下側アーム部３を備えており、上側アーム部２と下側アーム部３とを回動連結部４を介して相対回動させることで、上側アーム部２および下側アーム部３の先端同士を接離できるようにしている。本実施形態では、上側アーム部２と下側アーム部３との相対回動に伴って、後述する上側毛髪挟持面２２ａと下側毛髪挟持面３２ａとが接離されるようにしている。
【００４３】
また、本実施形態では、下側アーム部３の回動連結部４近傍に、上方に開口した筒部３ｃが設けられているとともに、上側アーム部２の回動連結部４近傍に、下方に開口して、筒部３ｃ内に挿入可能な筒部２ｃが設けられている。そして、この筒部２ｃと筒部３ｃとで形成された空間部には、コイルスプリング５が収容されており、このコイルスプリング５によって、上側アーム部２と下側アーム部３とを互いに拡開するように付勢している。また、筒部２ｃを筒部３ｃ内に挿入させることで、ヘアーアイロン１を閉じる際に、上側アーム部２と下側アーム部３とが幅方向にずれてしまうのを抑制している。なお、本実施形態では、図示せぬストッパによって、上側アーム部２と下側アーム部３の拡開方向への回動が規制されている。
【００４４】
また、上側アーム部２および下側アーム部３の回動連結部４側（ヘアーアイロン１の後側）には、上側把持部２ａおよび下側把持部３ａがそれぞれ設けられており、先端側には、上側挟持部（第１の挟持部）２ｂおよび下側挟持部（第２の挟持部）３ｂがそれぞれ設けられている。
【００４５】
そして、上側挟持部２ｂおよび下側挟持部３ｂは、それぞれ、上側アーム部２および下側アーム部３を閉じるように回動させた際に当接可能な上側毛髪挟持面（第１の毛髪挟持面）２２ａおよび下側毛髪挟持面（第２の毛髪挟持面）３２ａを有している。
【００４６】
さらに、本実施形態では、上側挟持部２ｂおよび下側挟持部３ｂには、図３に示すように、発熱部としてのヒータ２３およびヒータ３３が設けられている。
【００４７】
また、セット部材１０の外表面には、図４及び図６に示すように、毛髪Ｈをカールさせるためのカール部１０ｅが設けられている。
【００４８】
そして、上側アーム部２および下側アーム部３の先端側に形成された上側毛髪挟持面２２ａと下側毛髪挟持面３２ａとで毛髪Ｈを挟み込み、ヒータ２３およびヒータ３３で発生させた熱を上側毛髪挟持面２２ａおよび下側毛髪挟持面３２ａを介して毛髪Ｈに加えることで、毛髪Ｈにカール状やストレート状の癖付けを施している。
【００４９】
例えば、毛髪Ｈへのカール状の癖付けは、以下のようにして行われる。まず、加熱した上側挟持部２ｂおよび下側挟持部３ｂを互いに対向させ、上側挟持部２ｂと下側挟持部３ｂとの間に、上側挟持部２ｂおよび下側挟持部３ｂの幅方向に延在するように毛髪Ｈを配置した状態で、上側毛髪挟持面２２ａと下側毛髪挟持面３２ａとで毛髪Ｈを挟み込む。次に、毛髪Ｈを挟み込んだ状態でヘアーアイロン装置１００を回転させて、上側毛髪挟持面２２ａと下側毛髪挟持面３２ａとで挟み込まれていない根元側の毛髪Ｈをセット部材１０のカール部１０ｅに押し当てる。そして、毛髪Ｈをセット部材１０のカール部１０ｅに押し当てた状態で、ヘアーアイロン装置１００を、毛髪Ｈに沿って滑らせながら毛先に向けて引き下ろすことで、毛髪にカール状の癖付けが施される。なお、毛髪Ｈへのストレート状の癖付けは、上側毛髪挟持面２２ａと下側毛髪挟持面３２ａとで毛髪を挟み込んだヘアーアイロン装置１００を回転させずに、毛髪Ｈに沿って滑らせながら毛先に向けて引き下ろすことで行われる。
【００５０】
このように、本実施形態にかかるヘアーアイロン装置１００は、毛髪Ｈに熱による癖付けを施すことで整髪を行うものである。
【００５１】
なお、本実施形態では、上側挟持部（第１の挟持部）２ｂおよび下側挟持部（第２の挟持部）３ｂの幅方向が、上側毛髪挟持面（第１の毛髪挟持面）２２ａおよび下側毛髪挟持面（第２の毛髪挟持面）３２ａとで毛髪Ｈを挟み込んだ状態において、上側毛髪挟持面（第１の毛髪挟持面）２２ａおよび下側毛髪挟持面（第２の毛髪挟持面）３２ａとで挟み込まれた毛髪Ｈの延在方向に相当している。また、上側挟持部（第１の挟持部）２ｂおよび下側挟持部（第２の挟持部）３ｂの長手方向が、毛髪Ｈの延在方向と交差する方向に相当している。
【００５２】
上述した上側アーム部２および下側アーム部３は、外壁をなすケース２０およびケース３０を備えており、これらケース２０およびケース３０は、複数の分割体を継ぎ合わせて構成されている。また、ケース２０およびケース３０の内部には空洞が形成されており、この空洞内に、各種電気部品が収容されている。
【００５３】
本実施形態では、図４に示すように、下方に開口した上部ケース２０ａの下端に設けた溝部に、上方に開口した下部ケース２０ｂの上端に設けた突部を嵌合させ、溶着や接着等により上部ケース２０ａおよび下部ケース２０ｂを一体化させることで、内部に空洞が形成されたケース２０を形成している。
【００５４】
また、図４に示すように、上方に開口した下部ケース３０ｂの上端側部に設けた溝部に、下方に開口した上部ケース３０ａの下端側部に設けた突部を嵌合させ、溶着や接着、またはネジ等により上部ケース３０ａおよび下部ケース３０ｂを一体化させることで、内部に空洞が形成されたケース３０を形成している。
【００５５】
そして、ケース２０およびケース３０の幅方向両側部には、当該ケース２０およびケース３０の長手方向に延在する突条２０ｄおよび突条３０ｅが設けられている。
【００５６】
この突条２０ｄおよび突条３０ｅは、ケース２０およびケース３０の上側挟持部２ｂおよび下側挟持部３ｂ側に設けられており、側面視で、前端が上下の毛髪挟持面２２ａ、３２ａの前側短辺よりも前方に突出するとともに、後端が上下の毛髪挟持面２２ａ、３２ａの後側短辺よりも後方に突出するように延在している。
【００５７】
このように、ケース２０およびケース３０に、長手方向に延在する突条２０ｄおよび突条３０ｅを設けることで、ヘアーアイロン装置１００の使用時に、ケース２０およびケース３０と使用者等の頭皮や肌との接触面積を少なくすることができる。また、長手方向に延在する突条２０ｄおよび突条３０ｅを設けることで、ケース２０およびケース３０の表面積が増加するため、効率的に放熱を行うことができるようになる。すなわち、突条２０ｄおよび突条３０ｅは、放熱部としても機能するものである。
【００５８】
また、本実施形態では、ケース（挟持部本体）２０およびケース（挟持部本体）３０に、上側毛髪挟持面２２ａを有する毛髪挟持部材２１および下側毛髪挟持面３２ａを有する毛髪挟持部材３１を支持させることで、上側挟持部（第１の挟持部）２ｂおよび下側挟持部（第２の挟持部）３ｂを形成している。
【００５９】
具体的には、毛髪挟持部材２１および毛髪挟持部材３１は、略板状のプレート部２２およびプレート部３２を備えており、このプレート部２２およびプレート部３２の表面に、略平坦状の上側毛髪挟持面２２ａおよび下側毛髪挟持面３２ａが形成されている。本実施形態では、上側毛髪挟持面２２ａおよび下側毛髪挟持面３２ａは、図１に示すように、平面視で、ケース２０の長手方向に細長い略長方形状に形成されている。
【００６０】
さらに、プレート部２２およびプレート部３２は、幅方向（第１の挟持部および第２の挟持部の幅方向と同一の方向）両端部が、ケース２０およびケース３０の内側に向けて屈曲しており、上側毛髪挟持面２２ａおよび下側毛髪挟持面３２ａの幅方向両端には、図４に示すように、幅方向断面視で、斜め外側に向けて凸となる湾曲面２２ｄおよび湾曲面３２ｄがそれぞれ形成されている。
【００６１】
そして、プレート部２２およびプレート部３２のケース２０およびケース３０の内側には、ヒータ２３およびヒータ３３を収容する収容部２４および収容部３４が形成されており、収容部２４および収容部３４に収容したヒータ２３およびヒータ３３が、それぞれプレート部２２およびプレート部３２の裏面に当接するようにしている。
【００６２】
このプレート部２２およびプレート部３２は、例えば、銅やアルミニウムなど導電性の高い材料で形成し、毛髪Ｈに熱を伝えやすくするのが好ましい。
【００６３】
また、本実施形態では、ヒータ２３およびヒータ３３としてＰＴＣヒータ（Positive Temperature Coefficient ヒータ）を用いており、これにより連続的な温度制御が可能となる。なお、本実施形態では、ヒータ２３およびヒータ３３としてＰＴＣヒータを用いたものを例示したが、これに限らず、ニクロム線ヒータやその他の加熱手段を用いるようにしてもよい。また、ヒータ（発熱部）は、上側挟持部（第１の挟持部）２ｂおよび下側挟持部（第２の挟持部）３ｂのいずれか一方のみに設けられるようにしてもよい。
【００６４】
また、ケース２０の内部には、ヒータ２３およびヒータ３３の温度等を制御する制御回路６が収容されており、この制御回路６にヒータ２３およびヒータ３３がリード線８を介して接続されている。また、本実施形態では、上側毛髪挟持面２２ａおよび下側毛髪挟持面３２ａの温度を段階的に設定できるようにしている。なお、ケース２０内の空洞は、図４に示すように、制御回路６とプレート部２２との間で、リード線８を挿通させるための挿通孔８１が設けられたパッキング８０によって画成されており、このパッキング８０を設けることで制御回路６の防水効果を高めている。また、ヘアーアイロン１の後端部１ａからは、電源コード７２が引き出されている。
【００６５】
そして、ケース２０の上側把持部２ａ側には、操作スイッチ７が設けられており、この操作スイッチ７を操作することで、ヒータ２３およびヒータ３３に対する通電のオン・オフを切り換えることができるようになっている。この操作スイッチ７の操作によってヒータ２３およびヒータ３３を通電させると当該ヒータ２３およびヒータ３３が発熱し、この発熱したヒータ２３およびヒータ３３からプレート部２２およびプレート部３２に熱が伝達されることで、プレート部２２およびプレート部３２が加熱される。
【００６６】
さらに、本実施形態では、図３に示すように、ヒータ２３にサーミスタ７３が取り付けられており、ヒータ２３の温度変化に伴って変化するサーミスタ７３の抵抗値を利用して、ヒータ２３およびヒータ３３の温度を制御している。なお、符号７４はヒューズであり、このヒューズ７４を設けることで、制御回路６の破損等により上側毛髪挟持面２２ａや下側毛髪挟持面３２ａの温度が所定の温度を超えてしまった場合に、ヒータ２３およびヒータ３３への通電が遮断されるようにしている。
【００６７】
また、ケース２０の上側把持部２ａ側には、２つの温度調節スイッチ７０ａ、７０ｂが設けられており、この２つの温度調節スイッチ７０ａ、７０ｂを操作することで、上側毛髪挟持面２２ａおよび下側毛髪挟持面３２ａの設定温度を切り換えることができるようになっている。本実施形態では、設定温度を５段階に切り換えることができるようにしたものを例示している。そして、ケース２０には、図示せぬＬＥＤランプによって点灯する点灯部７１が５つ設けられており、例えば、各段階に対応した点灯部７１を点灯させることで、現在の設定温度を認識できるようにしている。
【００６８】
ここで、本実施形態では、上側挟持部２ｂに、上側毛髪挟持面２２ａと下側毛髪挟持面３２ａとで毛髪Ｈを挟み込んだ際に毛髪Ｈを下側挟持部３ｂ側へとガイドする突部２０ｃを下方に向けて突設している。
【００６９】
この突部２０ｃは、上側挟持部２ｂの幅方向両端に、当該上側挟持部２ｂの長手方向に沿って設けられている。また、本実施形態では、突部２０ｃは、図１に示すように、上側毛髪挟持面２２ａの長辺近傍の幅方向外側に、上側毛髪挟持面２２ａの長辺とほぼ同じ長さとなるように延設されている。
【００７０】
そして、突部２０ｃは、当該突部２０ｃの頂部が、幅方向断面視で、下に突となる略半円弧状となるように形成されている。
【００７１】
なお、この突部２０ｃは、耐熱性樹脂や金属材料（銅、アルミニウムなどの導電性の高いもの）で形成するのが好ましい。
【００７２】
さらに、本実施形態では、毛髪挟持部材２１は、図４に示すように、ケース（挟持部本体）２０に対して上下方向（第１の毛髪挟持面の法線方向）に相対的に往復移動可能に支持されている。
【００７３】
具体的には、毛髪挟持部材２１の４隅を、ケース２０内に配置された４個のフロートばね９にて支持することで、毛髪挟持部材２１をケース２０に対して上下移動できるようにしている。そして、毛髪挟持部材２１に設けたストッパ部材２５を下部ケース２０ｂに設けたストッパ部２０ｅに係合させることで、毛髪挟持部材２１がケース２０から外れてしまわないようにしている。すなわち、本実施形態では、フロートばね９の付勢力を利用することで、毛髪挟持部材２１をケース２０に上下動可能に支持している。
【００７４】
このように、毛髪挟持部材２１をケース２０に上下動可能に支持することで、図４（ｂ）に示すように、ケース２０がケース３０に対して下方に相対移動する際に、毛髪Ｈが突部２０ｃによって下方に押圧されることとなる。
【００７５】
なお、ストッパ部材２５をストッパ部２０ｅに係合させたときに、毛髪挟持部材２１をフロートばね９によって下側に向けて付勢させることで、毛髪挟持部材２１のがたつきを抑制できるようにするのが好ましい。また、本実施形態では、毛髪挟持部材２１の４隅をフロートばね９で支えるようにしているが、このフロートばねの位置や配置個数は、適宜設定することが可能である。また、毛髪挟持部材２１の上下方向の移動可能範囲は、０〜３ｍｍ程度となるように設定するのが好ましい。移動量が３ｍｍ以上となると、挟み込んだ毛髪にかかる荷重や引き下ろす際に生じる摩擦力が増大してしまい、ヘアーアイロン装置１００を毛髪Ｈに沿ってスムーズに滑らすことが難しくなってしまうからである。
【００７６】
また、本実施形態では、毛髪挟持部材３１は、図４に示すように、下部ケース３０ｂに設けられたリブ等で形成された載置部３０ｆ上に載置されている。そして、この載置部３０ｆと上部ケース３０ａに形成されたフランジ部３０ｇとで毛髪挟持部材３１を挟持することで、毛髪挟持部材３１をケース３０に支持させている。なお、毛髪挟持部材３１は、湾曲面３２ｄを含む下側毛髪挟持面３２ａが露出するように、すなわち、湾曲面３２ｄを含む下側毛髪挟持面３２ａがフランジ部３０ｇよりも上方に突出するように、ケース３０に支持されている。
【００７７】
また、本実施形態では、下側挟持部３ｂを下側毛髪挟持面３２ａが上を向くように配置した状態で、上側毛髪挟持面２２ａと下側毛髪挟持面３２ａとで毛髪Ｈを挟み込んだ際に、下側毛髪挟持面３２ａを突部２０ｃの頂部よりも上方に配置できるようにしている。
【００７８】
具体的には、毛髪挟持部材２１をケース２０に対して上下方向に相対往復移動できるようにするとともに、毛髪挟持部材３１を、下側毛髪挟持面３２ａがフランジ部３０ｇよりも上方に突出するようにケース３０に支持させることで、ヘアーアイロン１を閉じたときに、毛髪挟持部材２１が下側毛髪挟持面３２ａによって上方に押圧されるようにしている。そして、下側毛髪挟持面３２ａによる押圧によって、図４（ｂ）に示すように、ケース２０が毛髪挟持部材２１に対して下方に相対移動させることで、突部２０ｃの頂部が仮想平面（下側毛髪挟持面３２ａに相当）Ｘよりも下方に位置できるようにしている。
【００７９】
また、セット部材１０は、図６に示すように、底壁１０ｃと、当該底壁１０ｃの幅方向両端から上方に向けて突設された側壁１０ｂと、両側壁１０ｂの上端から内方に向けて略水平に延在するリブ１０ａとを備えており、上方に開口が形成されている。また、底壁１０ｃの前端には前端壁１０ｄが設けられており、この前端壁１０ｄの上端からも後方に向けて略水平に延在するリブ１０ａが設けられている。このように、セット部材１０は後端及び上方が開口しており、このセット部材１０を下側挟持部３ｂの前方から挿入して後方に向けてスライドさせることで、セット部材１０が下側挟持部３ｂに装着されるようにしている。
【００８０】
また、底壁１０ｃの後部には、嵌合凹部１０ｆが設けられており、この嵌合凹部１０ｆと後述する着脱ボタン６０の嵌合突部６１とを嵌合させることで、セット部材１０を下側挟持部３ｂに装着するとともに、セット部材１０の下側挟持部３ｂからの抜け止めがなされている。
【００８１】
着脱ボタン６０には、ケース３０の内側に突出したばね受け筒６２が設けられており、このばね受け筒６２とケース３０内に設けられたばね受け３０ｈとの間にコイルスプリング６３を介在させている。この着脱ボタン６０は、コイルスプリング６３によってケース外側に向けて付勢された状態でケース３０に取り付けられている。
【００８２】
そして、嵌合凹部１０ｆと嵌合突部６１とが嵌合した状態で、着脱ボタン６０をコイルスプリング６３の付勢力に抗して内側に向けて押圧することで、嵌合凹部１０ｆと嵌合突部６１との嵌合が解除されて、セット部材１０を取り外すことができるようになっている。
【００８３】
すなわち、セット部材１０に設けられた嵌合凹部１０ｆとヘアーアイロン１に設けられた嵌合突部６１とが、互いに解除可能に嵌合する嵌合部に相当するものである。
【００８４】
また、本実施形態では、リブ１０ａの幅方向内側下部に凹曲面１０ｊが形成されており、この凹曲面１０ｊが、上部ケース３０ａの上端に設けられた凸曲面３０ｉにスライド自在に係合できるようになっている。また、底壁１０ｃには、下部ケース３０ｂの下端部３０ｊをガイドする溝部１０ｋが設けられている。また、リブ１０ａの後部には、切欠１０ｉが形成されており、セット部材１０を下側挟持部３ｂに装着した際には、この切欠１０ｉに、ケース３０の天壁３０ｃに形成された幅狭の係合板部３０ｄ（図２０参照）が係合されるようになっている。
【００８５】
なお、後端面１０ｇは、セット部材１０をスライドさせて下側挟持部３ｂに装着する際に、後述するスライド部材５０を押圧してスライドさせる押圧面として機能するものである。
【００８６】
また、セット部材１０の側壁１０ｂには、所定の曲率で湾曲したカール部１０ｅが形成されている。
【００８７】
このカール部１０ｅは、下側挟持部３ｂにセット部材１０を装着した状態で、下側挟持部３ｂを下側毛髪挟持面３２ａが上を向くように配置（図４に示す状態）した際に、当該下側毛髪挟持面３２ａよりも下方に位置するように形成されている。
【００８８】
また、図４に示すように配置した際に、当該セット部材１０の上部に位置するリブ１０ａの上面には、上方に突出する第１の突起１０ｈが設けられている。この第１の突起１０ｈは、セット部材１０の幅方向両端にそれぞれ設けられており、セット部材１０の長手方向に間隔を開けて２箇所（複数個所）に設けられている。
【００８９】
そして、このセット部材１０を用い、毛髪Ｈをカール部１０ｅに押し当てることで、毛髪Ｈをカールさせることができる。
【００９０】
さらに本実施形態では、ヘアーアイロン装置１００は、複数種類のセット部材を備えている。具体的には、セット部材１０以外にセット部材１１〜１４を備えており、整髪形状に応じて、これら５種類のセット部材１０〜１４を交換しながら整髪することで様々な形状の髪型とすることができるようになっている。
【００９１】
セット部材１１は、図８に示すように、底壁１１ｃと、当該底壁１１ｃの幅方向両端から上方に向けて突設された側壁１１ｂと、両側壁１１ｂの上端から内方に向けて略水平に延在するリブ１１ａとを備えており、上方に開口が形成されている。また、底壁１１ｃの前端には前端壁１１ｄが設けられており、この前端壁１１ｄの上端からも後方に向けて略水平に延在するリブ１１ａが設けられている。そして、このセット部材１１を下側挟持部３ｂの前方から挿入して後方に向けてスライドさせることで、セット部材１１が下側挟持部３ｂに装着されるようにしている。
【００９２】
また、底壁１１ｃの後部には、嵌合凹部１１ｆが設けられており、この嵌合凹部１１ｆと着脱ボタン６０の嵌合突部６１とを嵌合させることで、セット部材１１を下側挟持部３ｂに装着するとともに、セット部材１１の下側挟持部３ｂからの抜け止めがなされている。
【００９３】
また、本実施形態では、リブ１１ａの幅方向内側下部に凹曲面１１ｊが形成されており、この凹曲面１１ｊが、上部ケース３０ａの上端に設けられた凸曲面３０ｉにスライド自在に係合できるようになっている。また、底壁１１ｃには、下部ケース３０ｂの下端部３０ｊをガイドする溝部１１ｋが設けられている。また、リブ１１ａの後部には、切欠１１ｉが形成されており、セット部材１１を下側挟持部３ｂに装着した際には、この切欠１１ｉに、ケース３０の天壁３０ｃに形成された幅狭の係合板部３０ｄ（図２０参照）が係合されるようになっている。
【００９４】
なお、後端面１１ｇは、セット部材１１をスライドさせて下側挟持部３ｂに装着する際に、後述するスライド部材５０を押圧してスライドさせる押圧面として機能するものである。
【００９５】
そして、セット部材１１の側壁１１ｂには、セット部材１０のカール部１０ｅの曲率よりも小さい曲率（カール部１０ｅの曲率とは異なる曲率）で湾曲したカール部１１ｅが形成されている。
【００９６】
このカール部１１ｅは、下側挟持部３ｂに装着した状態で、下側挟持部３ｂを下側毛髪挟持面３２ａが上を向くように配置（図４に示す状態）した際に、当該下側毛髪挟持面３２ａよりも下方に位置するように形成されている。
【００９７】
また、セット部材１１を下側挟持部３ｂに装着して図４に示すように配置した際に、当該セット部材１１の上部に位置するリブ１１ａの上面には、上方に突出する第１の突起１１ｈが設けられている。この第１の突起１１ｈは、セット部材１１の幅方向両端にそれぞれ設けられており、セット部材１１の長手方向に間隔を開けて２個（複数）設けられている。
【００９８】
このセット部材１１を用い、毛髪Ｈをカール部１１ｅに押し当てることで、セット部材１０を用いた場合とは異なる曲げ度合いで毛髪Ｈをカールさせることができる。
【００９９】
セット部材１２は、図１０に示すように、底壁１２ｃと、当該底壁１２ｃの幅方向両端から上方に向けて突設された側壁１２ｂと、両側壁１２ｂの上端から内方に向けて略水平に延在するリブ１２ａとを備えており、上方に開口が形成されている。また、底壁１２ｃの前端には前端壁１２ｄが設けられており、この前端壁１２ｄの上端からも後方に向けて略水平に延在するリブ１２ａが設けられている。そして、このセット部材１２を下側挟持部３ｂの前方から挿入して後方に向けてスライドさせることで、セット部材１２が下側挟持部３ｂに装着されるようにしている。
【０１００】
また、底壁１２ｃの後部には、嵌合凹部１２ｆが設けられており、この嵌合凹部１２ｆと着脱ボタン６０の嵌合突部６１とを嵌合させることで、セット部材１２を下側挟持部３ｂに装着するとともに、セット部材１２の下側挟持部３ｂからの抜け止めがなされている。
【０１０１】
また、本実施形態では、リブ１２ａの幅方向内側下部に凹曲面１２ｊが形成されており、この凹曲面１２ｊが、上部ケース３０ａの上端に設けられた凸曲面３０ｉにスライド自在に係合できるようになっている。また、リブ１２ａの後部には、切欠１２ｉが形成されており、セット部材１２を下側挟持部３ｂに装着した際には、この切欠１２ｉに、ケース３０の天壁３０ｃに形成された幅狭の係合板部３０ｄ（図２０参照）が係合されるようになっている。
【０１０２】
なお、後端面１２ｇは、セット部材１１をスライドさせて下側挟持部３ｂに装着する際に、後述するスライド部材５０を押圧してスライドさせる押圧面として機能するものである。
【０１０３】
そして、セット部材１２の側壁１２ｂには、セット部材１０およびセット部材１１のカール部１０ｅ、１１ｅの曲率よりも小さい曲率（カール部１０ｅ、１１ｅの曲率とは異なる曲率）で湾曲したカール部１２ｅが形成されている。
【０１０４】
このカール部１２ｅは、下側挟持部３ｂにセット部材１２を装着した状態で、下側挟持部３ｂを下側毛髪挟持面３２ａが上を向くように配置（図４に示す状態）した際に、当該下側毛髪挟持面３２ａよりも下方に位置するように形成されている。
【０１０５】
また、下側挟持部３ｂにセット部材１２を装着して図４に示すように配置した際に、当該セット部材１２の上部に位置するリブ１２ａの上面には、上方に突出する第１の突起１２ｈが設けられている。この第１の突起１２ｈは、セット部材１２の幅方向両端にそれぞれ設けられており、セット部材１２の長手方向に間隔を開けて２個（複数）設けられている。
【０１０６】
このセット部材１２を用い、毛髪Ｈをカール部１２ｅに押し当てることで、セット部材１０およびセット部材１１を用いた場合とは異なる曲げ度合いで毛髪Ｈをカールさせることができる。
【０１０７】
セット部材１３は、図１２に示すように、底壁１３ｃと、当該底壁１３ｃの幅方向両端から上方に向けて突設された側壁１３ｂと、両側壁１３ｂの上端から内方に向けて略水平に延在するリブ１３ａとを備えており、上方に開口が形成されている。また、底壁１３ｃの前端には前端壁１３ｄが設けられており、この前端壁１３ｄの上端からも後方に向けて略水平に延在するリブ１３ａが設けられている。そして、このセット部材１３を下側挟持部３ｂの前方から挿入して後方に向けてスライドさせることで、セット部材１３が下側挟持部３ｂに装着されるようにしている。
【０１０８】
また、底壁１３ｃの後部には、嵌合凹部１３ｆが設けられており、この嵌合凹部１３ｆと着脱ボタン６０の嵌合突部６１とを嵌合させることで、セット部材１３を下側挟持部３ｂに装着するとともに、セット部材１３の下側挟持部３ｂからの抜け止めがなされている。
【０１０９】
また、本実施形態では、リブ１３ａの幅方向内側下部に凹曲面１３ｋが形成されており、この凹曲面１３ｋが、上部ケース３０ａの上端に設けられた凸曲面３０ｉにスライド自在に係合できるようになっている。また、リブ１３ａの後部には、切欠１３ｉが形成されており、セット部材１３を下側挟持部３ｂに装着した際には、この切欠１３ｉに、ケース３０の天壁３０ｃに形成された幅狭の係合板部３０ｄ（図２０参照）が係合されるようになっている。
【０１１０】
なお、後端面１３ｇには、切欠１３ｊが設けられており、セット部材１３をスライドさせて下側挟持部３ｂに装着させたとしても、後端面１３ｇが後述するスライド部材５０をスライドさせてしまわないようにしている。
【０１１１】
さらに、下側挟持部３ｂにセット部材１３を装着した状態で、下側挟持部３ｂを下側毛髪挟持面３２ａが上を向くように配置（図４に示す状態）した際に、当該セット部材１３の上部に位置するリブ１３ａの上面には、平面部１３ｌが形成されている。
【０１１２】
本実施形態では、下側挟持部３ｂにセット部材１３を装着して図４に示すように配置した際に、平面部１３ｌは、下側毛髪挟持面３２ａよりも下方に位置するように形成されている。なお、セット部材１３は、リブ１３ａの厚さが、上述のセット部材１０、１１，１２の厚さよりも厚くなるように形成されており、平面部１３ｌと下側毛髪挟持面３２ａとの間に形成される段差があまり大きくならないようにしている。
【０１１３】
また、平面部１３ｌには上方に突出する第２の突起１３ｈが設けられており、当該第２の突起１３ｈが、セット部材１３の幅方向両端にそれぞれ設けられており、セット部材１３の長手方向に間隔を開けて８個（複数）設けられている。
【０１１４】
このセット部材１３を用い、毛髪Ｈを平面部１３ｌに押し当てることで、毛髪Ｈをストレートに整髪することができる。特に、このセット部材１３を用いることで、加熱により毛髪繊維同士の水素結合が切断された毛髪Ｈを平面部１３ｌに押し当てるようにすることができるため、セット部材を用いない場合に比べて、よりストレート状の癖付けを施すことができるようになる。
【０１１５】
セット部材１４は、図１４に示すように、底壁１４ｃと、当該底壁１４ｃの幅方向両端から上方に向けて突設された側壁１４ｂと、両側壁１４ｂの上端から内方に向けて略水平に延在するリブ１４ａとを備えており、上方に開口が形成されている。また、底壁１４ｃの前端には前端壁１４ｄが設けられており、この前端壁１４ｄの上端からも後方に向けて略水平に延在するリブ１４ａが設けられている。そして、このセット部材１４を下側挟持部３ｂの前方から挿入して後方に向けてスライドさせることで、セット部材１４が下側挟持部３ｂに装着されるようにしている。
【０１１６】
また、底壁１４ｃの後部には、嵌合凹部１４ｆが設けられており、この嵌合凹部１４ｆと着脱ボタン６０の嵌合突部６１とを嵌合させることで、セット部材１４を下側挟持部３ｂに装着するとともに、セット部材１４の下側挟持部３ｂからの抜け止めがなされている。
【０１１７】
また、本実施形態では、リブ１４ａの幅方向内側下部に凹曲面１４ｊが形成されており、この凹曲面１４ｊが、上部ケース３０ａの上端に設けられた凸曲面３０ｉにスライド自在に係合できるようになっている。また、リブ１４ａの後部には、切欠１４ｉが形成されており、セット部材１４を下側挟持部３ｂに装着した際には、この切欠１４ｉに、ケース３０の天壁３０ｃに形成された幅狭の係合板部３０ｄ（図２０参照）が係合されるようになっている。
【０１１８】
なお、後端面１４ｇは、セット部材１４をスライドさせて下側挟持部３ｂに装着する際に、後述するスライド部材５０を押圧してスライドさせる押圧面として機能するものである。
【０１１９】
さらに、下側挟持部３ｂにセット部材１４を装着した状態で、下側挟持部３ｂを下側毛髪挟持面３２ａが上を向くように配置（図４に示す状態）した際に、セット部材１４の上部には、下側毛髪挟持面３２ａと略平行をなすように形成された上面部１４ｍと、側部に下側毛髪挟持面３２ａと略垂直をなすように形成された側面部１４ｅと、上面部１４ｍと側面部１４ｅとをつなぐ曲面部１４ｋと、が形成されている。このように、上面部１４ｍと側面部１４ｅとを曲面部１４ｋでつないだ形状とすることで、セット部材１４に押し当てる毛髪Ｈが極端に屈曲してしまうのが抑制され、毛髪Ｈにかかる負荷を極力軽減させることができるようになる。
【０１２０】
また、このセット部材１４も、セット部材１３と同様に、リブ１４ａの厚さが、上述のセット部材１０、１１，１２のリブの厚さよりも厚くなるように形成されており、上面部１４ｍと下側毛髪挟持面３２ａとの間に形成される段差があまり大きくならないようにしている。
【０１２１】
また、曲面部１４ｋには上方に突出する第３の突起１４ｈが設けられており、当該第３の突起１４ｈが、セット部材１４の幅方向両端にそれぞれ設けられており、セット部材１４の長手方向に間隔を開けて７個（複数）設けられている。
【０１２２】
なお、この第３の突起１４ｈは、毛髪Ｈを掻き分けるための突起であり、幅方向外側の面が側面部１４ｅと面一になるように形成されるとともに、先端（図１４の上方）が櫛突起状に形成されている。本実施形態では、第３の突起１４ｈをこのような形に形成することで、第３の突起１４ｈを毛髪Ｈの根元部分に挿入させやすくしている。
【０１２３】
さらに、曲面部１４ｋには、湾曲して突出する第４の突起１４ｌが設けられており、当該第４の突起１４ｌが、セット部材１４の幅方向両端にそれぞれ設けられており、セット部材１４の長手方向に間隔を開けて１２個（複数）設けられている。本実施形態では、互いに隣り合う第３の突起１４ｈの間に２つずつ設けられている。この第４の突起１４ｌは、ヘアーアイロン装置１００を毛髪Ｈに沿って引き下ろす際に、毛髪Ｈを整流させるための突起であり、幅方向断面視で、曲面部１４ｋの湾曲形状にほぼ沿うように突出させている。本実施形態では、第４の突起１４ｌをこのような形に形成することで、曲面部１４ｋにて毛髪Ｈをカールさせる際に第４の突起１４ｌが整髪の邪魔をしてしまうのを抑制している。
【０１２４】
このセット部材１４を用いることで、毛髪Ｈの根元部分に癖付けを施すことが可能となり、毛髪全体にボリューム感を与えるように整髪することができるようになる。
【０１２５】
具体的には、まず、側面部１４ｅを使用者の頭皮に沿わせながらセット部材１４を毛髪の根元部分に挿入して、上側毛髪挟持面２２ａと下側毛髪挟持面３２ａとで毛髪Ｈの根元部分を挟み込む。このとき、第３の突起１４ｈによって毛髪Ｈが掻き分けられるため、毛髪Ｈの根元部分を上側毛髪挟持面２２ａと下側毛髪挟持面３２ａとで容易に挟み込むことができる。次に、毛髪Ｈを挟み込んだ状態で根元部分の毛髪Ｈを曲面部１４ｋに押し当てる。そして、ヘアーアイロン装置１００を、毛髪Ｈに沿って滑らせながら毛先に向けて引き下ろすことで、毛髪Ｈの根元部分に癖付けが施され、毛髪全体にボリューム感を与えるように整髪される。
【０１２６】
このように、様々な種類のセット部材を用意し、これらのセット部材を適宜交換することで、様々なヘアアレンジが可能になる。
【０１２７】
なお、ヘアーアイロン装置１００は、セット部材を装着せずに使用することも可能である。この場合、主に毛髪Ｈにストレート状の癖付けを施すこととなるが、上下の挟持部を利用して毛髪Ｈに癖付けを施すことも可能である。
【０１２８】
さらに、本実施形態にかかるヘアーアイロン装置１００は、上側挟持部２ｂの下側挟持部３ｂ側への相対移動を規制する規制部材を備えている。
【０１２９】
具体的には、ケース２０の上側把持部２ａ側下部に、下方に向けて突出するストッパ突起４０を設けるとともに、ケース３０の天壁３０ｃにストッパ溝部４１を設け、ストッパ突起４０の先端をストッパ溝部４１の底面に当接させることで、上側アーム部２と下側アーム部３との閉じる方向への回動を規制している。
【０１３０】
さらに、本実施形態では、ヘアーアイロン装置１００には、上側アーム部２と下側アーム部３との閉じる方向への回動を規制（規制部材による規制）した時における上側アーム部２と下側アーム部３とがなす角度（上側挟持部２ｂの下側挟持部３ｂに対する相対位置）を変える可変手段が設けられている。
【０１３１】
具体的には、図１５に示すように、ケース３０内にスライド部材５０をケース３０の長手方向にスライド可能に設け、スライド部材５０をスライドさせることでストッパ溝部４１の溝深さを変えるようにしている。
【０１３２】
本実施形態では、天壁３０ｃに貫通孔３０ｋが設けられるとともに、スライド部材５０の上面５０ａには、底面５０ｂを有する溝部５１が設けられている。そして、スライド部材５０をスライドさせることで、図１５（ａ）に示すように、上面５０ａが貫通孔３０ｋの下部開口を塞いだ状態と、図１５（ｂ）に示すように、貫通孔３０ｋと溝部５１とを連通させた状態と、が切り替えられえるようになっている。
【０１３３】
このように、本実施形態では、貫通孔３０ｋと上面５０ａとで浅い溝を形成するとともに、貫通孔３０ｋと溝部５１とで深い溝を形成することで、ストッパ溝部４１の深さを変えるようにしている。
【０１３４】
さらに、本実施形態では、セット部材１０、１１、１２、１４の下側挟持部３ｂへの着脱に連動してストッパ溝部４１の深さを変えることができるようにしている。具体的には、図１７、図１９、図２１に示すように、スライド部材５０には、セット部材１０、１１、１２、１４に押圧されて後方にスライドするスライド板５２が連結アーム５３を介して一体に設けられている。そして、セット部材１０、１１、１２、１４を下側挟持部３ｂに装着させる際には、装着の途中で、セット部材１０、１１，１２、１４の後端面１０ｇ、１１ｇ、１２ｇ、１４ｇがスライド板５２の前端面５２ａに当接し、セット部材１０、１１、１２、１４の後方へのスライドに伴ってスライド板５２が後方に押圧されてスライド部材５０が後方にスライドする。そして、セット部材１０、１１、１２、１４を下側挟持部３ｂに装着した状態では、スライド部材５０が、図１５（ｂ）に示す位置までスライドし、貫通孔３０ｋと溝部５１とが連通した状態となる。
【０１３５】
なお、スライド部材５０は、図示せぬ付勢部材によって前方に付勢されており、セット部材１０、１１、１２、１４を下側挟持部３ｂから取り外したときには、前方に移動して図１５（ａ）に示す状態（貫通孔３０ｋと上面５０ａとで浅い溝を形成した状態）となる。
【０１３６】
このように、本実施形態では、セット部材１０、１１、１２、１４を用いて毛髪Ｈにカール状の癖付けを施す場合に、ストッパ溝部４１の深さを深くするとともに、セット部材１３を用いて毛髪Ｈにストレート状の癖付けを施したり、セット部材を用いずに毛髪Ｈに癖付けを施す場合に、ストッパ溝部４１の深さが浅くなるようにすることで、毛髪挟み込み量や毛髪にかかる圧力などを用途に応じてより適した状態とできるようにしている。
【０１３７】
具体的には、ストッパ溝部４１の深さは、深くした場合には、図４（ｂ）に示す状態となるまで回動できるように設定して、上側毛髪挟持面２２ａと下側毛髪挟持面３２ａとで挟み込んだ毛髪Ｈが突部２０ｃによって湾曲面３２ｄに押し付けられるようにするとともに、浅くした場合には、図４（ａ）に示す状態で閉じる方向の回動が規制されるように設定して、セット部材１３の平面部１３ｌ上に載置された毛髪Ｈが突部２０ｃによって適度な圧力で押圧されるようにしている。なお、溝の深さは、これに限らず、適宜に設定可能である。
【０１３８】
また、毛髪挟持面２２ａ、３２ａに光触媒機能を持たせるようにするのが好ましい。例えば、図２２に示すように、光触媒粒子を含んだコーティング材２２ｂ、３２ｂをプレート部２２およびプレート部３２の表面に塗布してコーティングしたり、図２３に示すように、光触媒粒子２２ｃ、３２ｃをプレート部２２およびプレート部３２に含有させたりすることで、毛髪挟持面２２ａ、３２ａに光触媒機能を持たせることができる。
【０１３９】
こうすれば、毛髪挟持面２２ａ、３２ａに除菌機能、脱臭機能などを持たせることができる。
【０１４０】
毛髪挟持面２２ａ、３２ａに光触媒機能を発揮させる材料としては、銀等公知の材料を用いることができるが、特に二酸化チタンを用いるのが好適である。このように、二酸化チタンを用いることで、当該二酸化チタンによって毛髪挟持面２２ａ、３２ａに親水性機能を持たせることができ、毛髪に、しっとり感、さらさら感をあたえることができるようになる。
【０１４１】
ここで、セット部材１０を装着したヘアーアイロン装置１００を用いた場合の作用を説明する。
【０１４２】
まず、セット部材１０を装着し、ストッパ溝部４１の深さを深くして、上側アーム部２と下側アーム部３とが、図４（ｂ）に示す状態となるまで回動できるようにする。そして、上側毛髪挟持面２２ａと下側毛髪挟持面３２ａとを所定温度となるように加熱する。
【０１４３】
そして、互いに対向させた上側挟持部２ｂと下側挟持部３ｂとの間に、上側挟持部２ｂおよび下側挟持部３ｂの幅方向に延在するように毛髪Ｈを配置した状態で、上側毛髪挟持面２２ａと下側毛髪挟持面３２ａとで毛髪Ｈを挟み込む。このとき、ケース２０がケース３０に対して下方に相対移動して毛髪Ｈが突部２０ｃによって下方に押圧されて加熱された湾曲面３２ｄに押し付けられる。このように、毛髪Ｈを加熱された湾曲面３２ｄに押し付けることで、毛髪繊維同士の水素結合を切断した毛髪Ｈにカール状の癖付けを施すことができるため、容易に毛髪Ｈをカール状に癖付けすることができる。さらに、毛髪Ｈをカールさせた状態で毛髪繊維同士を水素結合させることができるようになるため、毛髪Ｈのカール保持力を高めることができる。
【０１４４】
次に、毛髪Ｈを挟み込んだ状態でヘアーアイロン装置１００を半回転させて、上側毛髪挟持面２２ａと下側毛髪挟持面３２ａとで挟み込まれていない根元側の毛髪Ｈをセット部材１０のカール部１０ｅに押し当てる。そして、毛髪Ｈをセット部材１０のカール部１０ｅに押し当てた状態で、ヘアーアイロン装置１００を、毛髪Ｈに沿って滑らせながら毛先に向けて引き下ろすことで、毛髪Ｈにカール状の癖付けが施される。
【０１４５】
以上説明したように、本実施形態では、上側挟持部（第１の挟持部）２ｂに、上側毛髪挟持面（第１の毛髪挟持面）２２ａと下側毛髪挟持面（第２の毛髪挟持面）３２ａとで毛髪Ｈを挟み込んだ際に、毛髪Ｈを下側挟持部（第２の挟持部）３ｂ側へとガイドする突部２０ｃを設けている。そのため、突部２０ｃによって毛髪Ｈを下側挟持部（第２の挟持部）３ｂ側に押しやることができるようになる。その結果、毛髪Ｈをセット部材１０に押し当てて癖付けを施す前に、突部２０ｃによって毛髪Ｈに癖付けを施すことが可能となって、より確実に毛髪Ｈに癖付けを施すことができる。このように、本実施形態によれば、より確実に毛髪Ｈを所望形状に整髪することができるようになる。
【０１４６】
ところで、毛髪Ｈに癖付けを施す際には、毛髪に熱エネルギをあたえて毛髪繊維同士の水素結合を切断し、その状態で毛髪Ｈを所望形状（例えば、カール状等）に整形し、整形した状態で熱エネルギを奪い再び毛髪繊維同士を水素結合させることで、毛髪Ｈを所望形状に保持するようにするのが好ましい。
【０１４７】
しかしながら、上述した従来技術では、発熱部に挟まれて熱が加えられた毛髪が、カール部に当接するまでに冷却されてしまい、カール部に押し当てるときには、毛髪繊維が水素結合により再び結合しているおそれがあった。このように、毛髪繊維同士が水素結合した状態の毛髪をカール部に押し当てた場合には、毛髪を所望形状に整髪することが難しかった。
【０１４８】
これに対して、本実施形態では、上側毛髪挟持面（第１の毛髪挟持面）２２ａと下側毛髪挟持面（第２の毛髪挟持面）３２ａとで挟み込んだ毛髪Ｈに熱を加えるヒータ（発熱部）２３、３３を設けることで、熱エネルギがあたえられて毛髪繊維同士の水素結合が切断された状態の毛髪Ｈを、突部２０ｃによって下側挟持部（第２の挟持部）３ｂ側に押しやることができる。そのため、より確実に毛髪Ｈに癖付けを施すことができるようになる。
【０１４９】
また、本実施形態によれば、ヘアーアイロン装置１００が複数種類のセット部材１０〜１４を備えているため、一つのヘアーアイロン１で様々なヘアアレンジが可能になる。
【０１５０】
また、本実施形態によれば、ヘアーアイロン装置１００がカール部１０ｅ、１１ｅ、１２ｅが設けられたセット部材１０、１１、１２を備えているため、このセット部材１０、１１、１２を用いることで、毛髪Ｈにカール状の癖付けを施すことができる。
【０１５１】
また、本実施形態によれば、ヘアーアイロン装置１００がカール部１０ｅ、１１ｅ、１２ｅの曲率が異なる複数種類のセット部材１０、１１、１２を備えているため、装着するセット部材を変えることで、毛髪Ｈを所望の曲げ度合いにカールさせることが可能となる。
【０１５２】
また、本実施形態によれば、カール部１０ｅ、１１ｅ、１２ｅをセット部材１０、１１、１２の側壁（側部）１０ｂ、１１ｂ、１２ｂに設けたため、セット部材の厚さを薄くすることが可能となり、セット部材の厚さ方向の小型化を図ることができ、ひいては、ヘアアイロン装置の厚みを薄くすることが可能となる。
【０１５３】
また、セット部材は下側挟持部（第２の挟持部）３ｂにのみ設置するようにしたため、セット部材の交換が容易になるとともに、部品点数を削減することができ、構成の簡素化を図ることが可能となる。また、ヘアーアイロン装置１００を半回転させるだけで毛髪Ｈに癖付けを施すことができるため、ヘアーアイロン装置１００の使い勝手を向上させることができる。
【０１５４】
また、本実施形態によれば、下側挟持部（第２の挟持部）３ｂに装着した状態におけるセット部材１０、１１、１２のカール部１０ｅ、１１ｅ、１２ｅが、下側挟持部（第２の挟持部）３ｂを下側毛髪挟持面（第２の毛髪挟持面）３２ａが上を向くように配置した際に、当該下側毛髪挟持面（第２の毛髪挟持面）３２ａよりも下方に位置するようにしたため、毛髪Ｈを、下側毛髪挟持面（第２の毛髪挟持面）３２ａから突部２０ｃを介してセット部材１０、１１、１２のカール部１０ｅ、１１ｅ、１２ｅへとスムーズに進ませることが可能となる。また、毛髪Ｈが途中で極端に屈曲してしまうのが抑制され、カールさせる際に毛髪Ｈにかかる負荷を極力軽減させることができるようになる。
【０１５５】
また、本実施形態によれば、下側挟持部（第２の挟持部）３ｂにセット部材１０、１１、１２を装着して当該下側挟持部（第２の挟持部）３ｂを下側毛髪挟持面（第２の毛髪挟持面）３２ａが上を向くように配置した状態において、当該セット部材１０、１１、１２の上部に、上方に突出する第１の突起１０ｈ、１１ｈ、１２ｈを設けるとともに、当該第１の突起１０ｈ、１１ｈ、１２ｈを、セット部材１０、１１、１２の長手方向（第１の毛髪挟持面と第２の毛髪挟持面とで毛髪を挟み込んだ状態において、挟み込まれた毛髪の延在方向と交差する方向）に間隔を開けて複数設けている。そのため、ヘアーアイロン装置１００を毛髪Ｈに沿って引き下ろす際に、この第１の突起１０ｈ、１１ｈ、１２ｈによって毛髪Ｈを整流させることができる。また、上側毛髪挟持面（第１の毛髪挟持面）２２ａと下側毛髪挟持面（第２の毛髪挟持面）３２ａとで挟み込んだ毛髪Ｈが毛髪挟持面２２ａ、３２ａの領域から外れてしまったり、毛髪Ｈがセット部材１０、１１、１２に押し当てられなくなってしまったりするのを抑制することができる。このように、第１の突起１０ｈ、１１ｈ、１２ｈを設けることで、毛髪Ｈを第１の突起１０ｈ、１１ｈ、１２ｈの間に入り込ませて整流させることができ、毛髪Ｈをより均一にカールさせることが可能となる。
【０１５６】
また、本実施形態によれば、ヘアーアイロン装置１００が、下側挟持部（第２の挟持部）３ｂを下側毛髪挟持面（第２の毛髪挟持面）３２ａが上を向くように配置して当該下側挟持部（第２の挟持部）３ｂに装着した状態において、リブ（上部）１３ａに平面部１３ｌを有するとともに当該平面部１３ｌが下側毛髪挟持面（第２の毛髪挟持面）３２ａよりも下方に位置するセット部材１３を備えている。このセット部材１３を下側挟持部（第２の挟持部）３ｂに装着することで、上側毛髪挟持面（第１の毛髪挟持面）２２ａと下側毛髪挟持面（第２の毛髪挟持面）３２ａとで挟み込んだ毛髪Ｈをセット部材１３の平面部１３ｌに接触させることができ、セット部材１３を外した場合と比べて毛髪Ｈをよりストレートに整髪することができるようになる。また、平面部１３ｌを下側毛髪挟持面（第２の毛髪挟持面）３２ａよりも下側となるように設けているため、毛髪Ｈの流れをスムーズにして毛髪Ｈにかかる負荷を低減することができる。
【０１５７】
また、本実施形態によれば、平面部１３ｌに上方に突出する第２の突起１３ｈを設けるとともに、当該第２の突起１３ｈを、セット部材１３の長手方向（第１の毛髪挟持面と第２の毛髪挟持面とで毛髪を挟み込んだ状態において、挟み込まれた毛髪の延在方向と交差する方向）に間隔を開けて複数設けている。そのため、毛髪Ｈを第２の突起１３ｈの間に入り込ませて整流させることができ、毛髪Ｈをよりストレートに整髪することが可能となる。
【０１５８】
また、本実施形態によれば、ヘアーアイロン装置１００が、下側挟持部（第２の挟持部）３ｂを下側毛髪挟持面（第２の毛髪挟持面）３２ａが上を向くように配置して当該下側挟持部（第２の挟持部）３ｂに装着した状態において、上部に下側毛髪挟持面（第２の毛髪挟持面）３２ａと略平行をなすように形成された上面部１４ｍと、側壁（側部）１４ｂに下側毛髪挟持面（第２の毛髪挟持面）３２ａと略垂直をなすように形成された側面部１４ｅと、上面部１４ｍと側面部１４ｅとをつなぐ曲面部１４ｋと、を有し、当該曲面部１４ｋに上方に突出する第３の突起１４ｈを設けるとともに、当該第３の突起１４ｈを、セット部材１３の長手方向（第１の毛髪挟持面と第２の毛髪挟持面とで毛髪を挟み込んだ状態において、挟み込まれた毛髪の延在方向と交差する方向）に間隔を開けて複数設けたセット部材１４を備えている。このセット部材１４を下側挟持部（第２の挟持部）３ｂに装着することで、毛髪Ｈの根元部分に癖付けを施すことが可能となり、毛髪Ｈ全体にボリューム感を与えるように整髪することができるようになる。
【０１５９】
また、第３の突起１４ｈを設けることにより毛髪Ｈを掻き分けることができるため、毛髪挟持面２２ａ、３２ａをよりスムーズに毛髪Ｈの根元部に挿入させることができ、より根元部分から毛髪Ｈに癖付けを施すことができる。
【０１６０】
また、本実施形態によれば、曲面部１４ｋに湾曲して突出する第４の突起１４ｌを設けるとともに、当該第４の突起１４ｌを、セット部材１３の長手方向（第１の毛髪挟持面と第２の毛髪挟持面とで毛髪を挟み込んだ状態において、挟み込まれた毛髪の延在方向と交差する方向）に間隔を開けて複数設けている。そのため、毛髪Ｈを第４の突起１４ｌの間に入り込ませて整流させることができ、毛髪Ｈ全体により均一なボリューム感を与えるように整髪することができる。
【０１６１】
また、本実施形態によれば、ヘアーアイロン装置１００は、上側挟持部（第１の挟持部）２ｂの下側挟持部（第２の挟持部）３ｂ側への相対移動を規制する規制部材（ストッパ突起４０およびストッパ溝部４１）を備えているため、上側毛髪挟持面（第１の毛髪挟持面）２２ａと下側毛髪挟持面（第２の毛髪挟持面）３２ａとの間に挟み込まれた毛髪Ｈに過度の負荷がかかってしまうのを抑制することができ、毛髪Ｈへのダメージを抑制することができる。
【０１６２】
また、本実施形態によれば、ヘアーアイロン装置１００に、規制部材（ストッパ突起４０およびストッパ溝部４１）による規制時における上側挟持部（第１の挟持部）２ｂの下側挟持部（第２の挟持部）３ｂに対する相対位置を変える可変手段を設けている。したがって、整髪の種類（カール状、ストレート状）等に応じて規制時における上側挟持部（第１の挟持部）２ｂの下側挟持部（第２の挟持部）３ｂに対する相対位置を変え、上側毛髪挟持面（第１の毛髪挟持面）２２ａと下側毛髪挟持面（第２の毛髪挟持面）３２ａとの間に挟み込まれた毛髪Ｈにかかる負荷をより最適な状態とすることが可能となる。
【０１６３】
このように、ヘアーアイロン装置１００に可変手段を設けることで、整髪の種類（カール状、ストレート状）等にかかわらず、ヘアーアイロン装置１００を最適な状態で使用することが可能となる。
【０１６４】
また、本実施形態によれば、セット部材１０〜１４およびヘアーアイロン１に、互いに解除可能に嵌合する嵌合部（嵌合凹部１０ｆ、１１ｆ、１２ｆ、１３ｆ、１４ｆおよび嵌合突部６１）を設けることで、セット部材１０〜１４のヘアーアイロン１への着脱を容易に行うことができるようになる。
【０１６５】
なお、本実施形態では、セット部材１０、１１、１２、１３、１４を毛髪挟持面が移動しない下側挟持部（第２の挟持部）３ｂに設けるとともに、セット部材１０、１１、１２、１３、１４に毛髪Ｈを整流するための突起１０ｈ、１１ｈ、１２ｈ、１３ｈ、１４ｌを設けている。このように、毛髪Ｈを整流するための突起１０ｈ、１１ｈ、１２ｈ、１３ｈ、１４ｌを、毛髪挟持面が移動する場合に比べて密着性が高く整流効果を強く発揮させることのできる固定側（毛髪挟持面が移動しない側）に設けることで、毛髪の整流効果をより一層高めることができるようになる。
【０１６６】
以上、本発明の好適な実施形態について説明したが、本発明は上記実施形態には限定されず、種々の変形が可能である。
【０１６７】
たとえば、ミスト生成部や金属微粒子生成部等のイオン生成部を設けたヘアーアイロン装置に本発明を適用することも可能である。
【０１６８】
また、上記実施形態では、セット部材の挟持部への着脱に連動してストッパ溝部の深さを変えるようにしているが、ストッパ溝部の深さ変動を、セット部材の着脱とは独立させて行うようにしてもよい。
【０１６９】
また、上記実施形態では、セット部材をスライドさせながら挟持部に装着させるものを例示したが、これに限らず、例えば、セット部材の開口に挟持部の背面を嵌め込むようにして装着させるようにしてもよい。
【０１７０】
また、セット部材の種類や数も適宜設定することが可能である。
【０１７１】
また、毛髪挟持面やセット部材、把持部、その他細部のスペック（形状、大きさ、レイアウト等）も適宜に変更可能である。
【符号の説明】
【０１７２】
１  ヘアーアイロン
２ｂ  上側挟持部（第１の挟持部）
３ｂ  下側挟持部（第２の挟持部）
１０  セット部材
１０ｅ  カール部
１０ｈ  第１の突起
１１  セット部材
１１ｅ  カール部
１１ｈ  第１の突起
１２  セット部材
１２ｅ  カール部
１２ｈ  第１の突起
１３  セット部材
１３ｈ  第２の突起
１３ｌ  平面部
１４  セット部材
１４ｅ  側面部
１４ｈ  第３の突起
１４ｋ  曲面部
１４ｌ  第４の突起
１４ｍ  上面部
２０ｃ  突部
２２ａ  上側毛髪挟持面（第１の毛髪挟持面）
２３  ヒータ（発熱部）
３２ａ  下側毛髪挟持面（第２の毛髪挟持面）
３３  ヒータ（発熱部）
４０  ストッパ突起（規制部材）
４１  ストッパ溝（規制部材）
５０  スライド部材（可変手段）
【図１】
2011098000.tif 000003
【図２】
2011098000.tif 000004
【図３】
2011098000.tif 000005
【図４】
2011098000.tif 000006
【図５】
2011098000.tif 000007
【図６】
2011098000.tif 000008
【図７】
2011098000.tif 000009
【図８】
2011098000.tif 000010
【図９】
2011098000.tif 000011
【図１０】
2011098000.tif 000012
【図１１】
2011098000.tif 000013
【図１２】
2011098000.tif 000014
【図１３】
2011098000.tif 000015
【図１４】
2011098000.tif 000016
【図１５】
2011098000.tif 000017
【図１６】
2011098000.tif 000018
【図１７】
2011098000.tif 000019
【図１８】
2011098000.tif 000020
【図１９】
2011098000.tif 000021
【図２０】
2011098000.tif 000022
【図２１】
2011098000.tif 000023
【図２２】
2011098000.tif 000024
【図２３】
2011098000.tif 000025